(57)【特許請求の範囲】
【請求項１】
発光管と前記発光管から発せられた光を反射するリフレクタとを備えたランプユニットを冷却する光源冷却装置であって、
前記発光管に冷却風を導く二つの導風部と、
前記二つの導風部に前記冷却風を吐出するためのファンと、
前記ランプユニットを保持するランプホルダーと、
前記ランプボルダーに設けられた前記冷却風を排気する二つの排気部と、をさらに有し、
前記二つの導風部の風吹き出し口は、前記リフレクタの相対する方向にある位置に配置され、且つ、該各風吹き出し口からの冷却風の流れの中心が前記発光管の中心部に対して互いにずれており、
前記二つの排気部は、前記発光管を中心に相対する位置に設けられていることを特徴とした光源冷却装置。
【請求項２】
前記二つの導風部の風吹き出し口が、前記発光管の上部と下部に向けて前記冷却風を吹き出すように構成されている、請求項１に記載の光源冷却装置。
【請求項３】
前記二つの排気部は、前記ランプホルダーの上部にある第一の排気部と、前記ランプホルダーの下部にある第二の排気部であって、前記発光管の上部に当てた前記冷却風は前記第一の排気部から排気され、前記発光管の下部に当てた前記冷却風は前記第二の排気部から排気されることを特徴とする請求項２に記載の光源冷却装置。
【請求項４】
前記二つの導風部に別々に前記ファンが設けられていることを特徴とする請求項１に記載の光源冷却装置。
【請求項５】
前記各導風部が、
前記各ファンの吐出口に接続されたダクトと、
前記発光管の光を反射するリフレクタを保持するホルダに設けられ、前記各ダクトを通った冷却風を前記発光管へ送出するための開口部と、を含む構成であることを特徴とする請求項１から４のいずれか１項に記載の光源冷却装置。
【請求項６】
前記二つのファンの回転数を個別に制御するための制御手段をさらに備え、前記二つのファンの回転数を予め設定された情報に基づいて個別に制御することを特徴とする請求項１から５のいずれか１項に記載の光源冷却装置。
【請求項７】
請求項１から６のいずれか1項に記載の光源冷却装置を備えた投写型表示装置。
【請求項８】
投写型表示装置外の温度を検出する温度検出手段を備え、該温度検出手段からの温度情報に基づいて前記二つのファンの回転数を個別に制御することを特徴とする請求項７に記載の投写型表示装置。
【請求項９】
投写型表示装置の設置姿勢を検出する姿勢検出手段を備え、該姿勢検出手段からの姿勢情報に基づいて前記二つのファンの回転数を個別に制御することを特徴とする請求項７に記載の投写型表示装置。
【請求項１０】
投写型表示装置外の温度を検出する温度検出手段と、投写型表示装置の設置姿勢を検出する姿勢検出手段とを備え、該温度検出手段からの温度情報と該姿勢検出手段からの姿勢情報とに基づいて前記二つのファンの回転数を個別に制御することを特徴とする請求項７に記載の投写型表示装置。
【請求項１１】
発光管と前記発光管から発せられた光を反射するリフレクタとを備えたランプユニットを冷却する光源冷却方法であって、
前記発光管に冷却風を導く二つの導風部と、前記二つの導風部に前記冷却風を吐出するためのファンと、前記ランプユニットを保持するランプホルダーと、前記ランプボルダーに設けられた前記冷却風を排気する二つの排気部と、を用意し、さらに、
前記二つの導風部の風吹き出し口を、前記リフレクタの相対する方向にある位置に配置し、且つ、該各風吹き出し口からの冷却風の流れの中心を前記発光管の中心部に対して互いにずらし、
前記二つの排気部を、前記発光管を中心に相対する位置に設けることを特徴とした光源冷却方法。
【発明の詳細な説明】
【技術分野】
【０００１】
本発明は、光源を備えた投写型表示装置の光源冷却に関するものである。
【背景技術】
【０００２】
発光管の点灯により発生する熱は発光管内で重力の反対側に上昇するため、発光管の表面温度は下部に比べ上部が高くなる。発光管温度と発光管寿命には強い相関があり、発光管温度の適正な管理が重要になっている。発光管の寿命をより延ばすためには発光管の上部と下部の温度差を小さくすることが重要である。したがって、例えばランプユニットを備えた装置を床面に設置した状態（以下、据え置き状態）では、発光管の上部を中心に冷却することが望ましい。
【０００３】
こうした実状のもと、ランプユニットを備えた装置では、発光管の冷却手段として、所定の設置状態で発光管の上部に冷却風が吹き付けられるように調整された噴出し口が一つ設けられていた。ところが、このような冷却手段は、据え置き状態の装置を天地方向で逆にして天井面に設置（以下、天吊り状態）したとき、噴出し口からの冷却風が発光管下部を中心に吹き付けられ、発光管の上部と下部の温度差を大きくしてしまうという問題があった。
【０００４】
この問題を解決する技術として、据え置き状態でも天吊り状態でも発光管の上部に冷却風を吹き付けられるように、冷却風の噴出し口内に、設置状態に応じて可動し冷却風の流れ方向を切り替える冷却風案内板を設けたものが提案されている（特許文献１参照）。
【０００５】
尚、上記のような設置状態による問題を解決する技術ではないが、特許文献２には、リフレクタの前方部の上下に前方通気口が設けられ、各前方通気口に対向するように冷却ファンが配置されている旨が記載されている。そして、各前方通気口からリフレクタの内部空間に冷却用空気が導入されて光源ランプを冷却し、リフレクタの内部空間内の暖かい空気がリフレクタの後部に設けられた後方通気口からリフレクタ外に排出されるようになっている旨が記載されている。
【特許文献１】特開２００６−０９１１３２号公報
【特許文献２】特開２００２−３５２６０４号公報
【発明の開示】
【発明が解決しようとする課題】
【０００６】
しかしながら、特許文献１に開示された手法は、発光管上部の温度を低下させるだけであり、発光管の上部と下部の温度を規定の温度範囲に管理することが難しい。このため、設置姿勢によって発光管の上下の温度差が異なるという課題があった。
【０００７】
さらに、冷却風案内板を装置の設置状態に応じて可動させる技術であるため構造が複雑である。その上、冷却風案内板の可動機構にゴミなどが付着すると、冷却風案内板による風向の切り替えが良好に行えなくなるという課題も生じる。
【０００８】
また、特許文献２には、光源の上部と下部に冷却風が集中するように冷却風をリフレクタ内に導入するという思想は全く開示されていない。むしろ、同文献の段落［００１９］や［００５４］において、冷却用空気がリフレクタの内部空間全体に効果的に送風され、冷却効果を高める旨が記載されている。したがって、特許文献２に開示の発明はリフレクタの内部空間を全体的に冷却するものであり、光源の寿命を延ばすために光源の上部と下部の温度差を小さくするという目的は全く達成できない。
【０００９】
そこで本発明の目的は、上記のような課題を少なくとも一つ解決することにある。目的の一例は、複雑な構成をとることなく、設置姿勢が変更されても光源の上部と下部の温度差を小さくできるようにすることにある。
【課題を解決するための手段】
【００１０】
本発明の一の態様は、発光管と前記発光管から発せられた光を反射するリフレクタとを備えたランプユニットを冷却する光源冷却装置であって、
前記発光管に冷却風を導く二つの導風部と、
前記二つの導風部に前記冷却風を吐出するためのファンと、
前記ランプユニットを保持するランプホルダーと、
前記ランプボルダーに設けられた前記冷却風を排気する二つの排気部と、をさらに有し、
前記二つの導風部の風吹き出し口は、前記リフレクタの相対する方向にある位置に配置され、且つ、該各風吹き出し口からの冷却風の流れの中心が前記発光管の中心部に対して互いにずれており、
前記二つの排気部は、前記発光管を中心に相対する位置に設けられていることを特徴とした光源冷却装置である。
また本発明の他の態様は、発光管と前記発光管から発せられた光を反射するリフレクタとを備えたランプユニットを冷却する光源冷却方法であって、
前記発光管に冷却風を導く二つの導風部と、前記二つの導風部に前記冷却風を吐出するためのファンと、前記ランプユニットを保持するランプホルダーと、前記ランプボルダーに設けられた前記冷却風を排気する二つの排気部と、を用意し、さらに、
前記二つの導風部の風吹き出し口を、前記リフレクタの相対する方向にある位置に配置し、且つ、該各風吹き出し口からの冷却風の流れの中心を前記発光管の中心部に対して互いにずらし、
前記二つの排気部を、前記発光管を中心に相対する位置に設けることを特徴とした光源冷却方法である。
【００１１】
尚、本明細書及び特許請求の範囲で使用されている「上部」とは、重力方向とは反対方向を向いた部分をいい、「下部」とは重力方向を向いた部分をいう。
【発明の効果】
【００１２】
本発明によれば、複雑な構成をとることなく、設置姿勢が変更されても光源の上部と下部の温度差を小さくして光源の寿命をより延ばすことができる。
【発明を実施するための最良の形態】
【００１３】
以下、本発明の実施形態について図面を参照して説明する。ここでは、本発明の光源冷却装置を投写型表示装置（プロジェクター）に適用した例を挙げて説明するが、本発明の適用例はこれに限られない。
【００１４】
（実施例１）
図１は本発明の実施例１の投写型表示装置であるミラー型超短焦点プロジェクターにおいての主要構成部分の構成図を示している。但し、当該プロジェクターの全てを図示するものではない。図２は図１に示されるプロジェクターの主要構成部分をランプユニットの後方側上部から見た斜視図である。
【００１５】
図1に示される本実施例の投写型表示装置は、ランプユニット１と、ランプユニット１を保持するランプホルダ６と、回転数を変更できるシロッコファン２，３と、シロッコファンからランプユニット１の内部に送風する送風ダクト３，４と、を備える。さらに、この表示装置は、装置の姿勢を検出する姿勢センサー７と、環境温度（投写型表示装置外の温度）を検出する温度センサー１８と、内部に光学部品が取り付けられている光学エンジン１６と、装置冷却とランプユニット１を冷却する回転数変更可能な軸流ファン１７と、映像を投写する投写ミラー８，９，１０とを備えている。図には３枚の投写ミラー８，９，１０を示しているが、本来は４枚の投写ミラーを用いている。シロッコファン２，３と送風ダクト４，５は光学エンジン１７の外側に取り付けられている。姿勢センサー７と温度センサー１８は図中に描かれていないが、これらは不図示の装置筐体において適切な場所に設置されてあればよい。
【００１６】
上記表示装置の動作としては、ランプユニット１で発せられた光は光学エンジン１６内部の光学部品を経由し投写ミラー８，９，１０を経て、不図示のスクリーンへ投写される。ランプユニット１は不図示の基盤上の制御手段にて電圧を加えられる。この制御手段によってシロッコファン２，３及び軸流ファン１７も制御される。シロッコファン２，３及び軸流ファン１７は回転数が変更可能であり、温度センサー１８で環境温度を検出し、その環境温度に対して最適な温度となるように設定された回転数にそれぞれのファン２，３，１７の回転数を変更することができる。
【００１７】
また、この装置は装置の設置姿勢(据え置き状態や天吊り状態)を検出する姿勢センサー７を備えている。そして、姿勢センサー７で設置姿勢を検出し、その設置姿勢に対して最適な温度となるように設定された回転数にそれぞれのファン２，３，１７の回転数を変更することができる。
【００１８】
図３は本実施例のランプ冷却装置を示す斜視図である。
【００１９】
ランプユニット１のリフレクタ１２はランプホルダ６（リフレクタホルダ）に保持されている。このようなランプユニット１の光源を冷却するランプ冷却装置は、ランプユニット１を冷却するための回転数変更可能なシロッコファン２，３と、各シロッコファンからランプユニット１の内部に送風する送風ダクト４，５とを備える。
【００２０】
シロッコファン２の吐出口に送風ダクト４が接した状態である。さらに送風ダクト４の出口はランプホルダ６の図面左側（即ち、リフレクタ１２によって光が出射される方向から見て左側）の端部に連結され、そこからランプユニット１の内部に風が送られる。
【００２１】
シロッコファン３は送風ダクト５に覆われた状態であり、シロッコファン３の吐出口は送風ダクト５の内側に配されている。送風ダクト５の出口はランプホルダ６の図面右側の端部に連結され、そこからランプユニット１の内部に風が送られる。
【００２２】
尚、稼動状態のシロッコファン２，３は光学エンジン１６の内部の空気を吸い込んでいる。これにより光学エンジン１６の内の熱気を外へ逃がし、光学エンジン１６内部の光学部品を冷却している。
【００２３】
さらに、ランプユニット１の詳細について説明する。図４にランプユニット１の詳細な構成を示す。ランプユニット１は、光源として発光する概ね直管形の発光管１１と、光源から発せられた光束を任意の方向へ反射するためのリフレクタ１２と、発光管１１とリフレクタ１２を締結するリフレクタベース１５とを備えている。発光管１１はリフレクタ１２にリフレクタベース１５を介して接着剤で固着されており、外部から電力を供給されることにより発光する。
【００２４】
リフレクタ１２は内面が概ね半球形からなり、且つ鏡面加工されている。リフレクタ１２の光出射口の外周縁１２ｃは四角形状をなし、その光出射口の左側と右側には冷却風を導入するための切り欠き１２ａ，１２ｂを有する。ランプホルダ６にリフレクタ１２の光出射口の外周縁１２ｃを接合することでリフレクタ１２は保持されている。ランプホルダ６には、リフレクタ１２の切り欠き１２ａ，１２ｂの各々と連結されて発光管１１へ冷却風１３ａ，１３ｂを送出するための二つの開口部（不図示）が設けられている。送風ダクト４，５はそれぞれ、シロッコファン２，３の各吐出口とランプホルダ６の各開口部を連通させるものである。
【００２５】
例えば発光管１１がいわゆる超高圧水銀ランプと呼ばれるものである場合、発光管１１の内部の電極に電圧を加え、電力が供給されると発光管１１内部が発光し、発光管１１自体が高熱を持つ。この結果ランプユニット１は高温を伴う。
【００２６】
そのため、送風ダクト４，５によりランプユニット１に送られた冷却風１３ａ，１３ｂを、リフレクタ１２の相対方向にある切り欠き１２ａ，１２ｂから発光管１１に送風して冷却している。
【００２７】
本発明は、個別に風速が制御された二つの冷却風１３ａ，１３ｂを発光管１１の上部と下部に相対方向から当てることを特徴とする。
【００２８】
冷却風１３ａ，１３ｂが発光管１１の上下に当たるように導く二つの導風部は、各シロッコファン２，３の吐出口に接続された送風ダクト４，５と、ランプホルダ６に設けられ、各送風ダクトを通った冷却風を発光管１１へ送出する開口部（以下、風吹き出し口と呼ぶ）と、を含む構成である。
【００２９】
また、以下に説明するが、発光管１１の表面温度が均一化されるよう、発光管１１の上部と下部に向かう二つの冷却風１３ａ，１３ｂの流れの中心が発光管１１の中心部に対してオフセットされていることも特徴である。
【００３０】
以下、発光管１１の冷却について詳述する。
【００３１】
図５はランプユニット１と送風ダクト４，５の位置関係の一例を表した図であり、ランプユニット１を光出射口側から見たものである。また、以下に説明される図５〜１６において図の上下は重力方向及びこの反対方向と一致し、図の左右は水平方向と一致している。
【００３２】
図５を参照すると、リフレクタ１２の右側の切り欠き１２ａに送風ダクト５が配置され、左側の切り欠き１２ｂに送風ダクト４が配置されている。右側の送風ダクト５で発光管１１の上部と右側部を集中的に冷却するような冷却風１３ａを出すために、風吹き出し口の下部を閉じている。同様に、左側の送風ダクト４で発光管１１の下部と左側部を集中的に冷却するような冷却風１３ｂを出すために、風吹き出し口の上部を閉じている。これら二つの風吹き出し口は発光管１１を挟んで相対する位置に配置されている。
【００３３】
発光管１１の熱は重力の反対側に上がるため、発光管１１の表面温度は下部に比べ上部が高くなる。よって、発光管１１の温度が最高となる場所（即ち最高点）は発光管１１の上部にある。ランプの性能としては、発光管１１の最高点の温度が寿命に影響し、発光管１１の温度が最低となる場所（即ち最冷点）の温度が、明るさやフリッカのない安定した発光に影響がある。
【００３４】
発光管１１の性能を最大限引き出すためには、最適な温度範囲内で最冷点をなるべく高くし最高点をなるべく低くする。つまり、発光管１１の上部と下部の温度差が小さくなるよう、発光管１１の表面温度を均一化することが望ましい。
【００３５】
よって、発光管１１の表面温度を均一化するには発光管１１の上部の方を下部より強く冷却する必要がある。
【００３６】
発光管１１の温度分布としては上記のような状態にあるので、冷却風１３ａを冷却風１３ｂに対して風速を上げるようにする。そのため、シロッコファン３の回転数をシロッコファン２の回転数よりも上げる。
【００３７】
発光管１１の上部と右側部に当てた冷却風１３ａはランプホルダ６の上部から排気風１４ａとして排気され、発光管１１の下部と左側部に当てた冷却風１３ｂはランプホルダ６の下部から排気風１４ｂとして排気される。これら二つの排気部は発光管１１を挟んで相対する位置にあるが、排気風１４ａ，１４ｂは軸流ファン１７により装置外へと出される。
【００３８】
また、表示装置の設置姿勢が変わって上部と下部が逆になった場合、発光管１１の温度分布も逆転する。本実施例の表示装置は装置の設置姿勢(据え置き状態、天吊り状態)を検出する姿勢センサー７を備えており、これにより設置姿勢を自動的に検出することが可能である。よって、発光管１１の温度分布が逆転しても、姿勢センサー７からの姿勢情報に基づいて冷却風１３ａ，１３ｂの強さを逆転させることにより、発光管１１を最適温度に収めることが可能である。つまり、図５の状態を上下逆さまにした場合、冷却風１３ｂの風速を冷却風１３ａよりも上げる。
【００３９】
本実施例では、据え置き状態でも天吊り状態でも発光管１１の上部と下部の温度差は５０度であった。これに対し、１つの冷却ファンと１つの送風ダクトで構成された場合、発光管の上部と下部の温度差は、据え置き状態で１００度、天吊り状態では１５０度であった。
【００４０】
このように本実施例は、据え置き状態でも天吊り状態でも発光管１１の上部と下部の温度差を同じように小さくできるので、設置姿勢に関わらずランプユニット１の発光が安定し、且つ、光源の寿命も延ばすことが可能となる。さらには、発光管１１の最高点を集中的に冷却できるので、１つの冷却ファンで風量を上げるときよりも静音化が可能である。
【００４１】
また本実施例では、それぞれの送風ダクト４，５の通風抵抗が同じであり、且つそれぞれのシロッコファン２，３の吸気抵抗が同じであれば、装置の設置姿勢の逆転に対して各シロッコファンの回転数を真逆にすることで、冷却風１３ａ，１３ｂの風速を逆転させることが可能である。しかし、こうした装置条件を実現することが難しい場合は、冷却風１３ａ，１３ｂの風速が逆転するようにそれぞれのシロッコファン２，３の回転数を個別に設定すればよい。
【００４２】
また、上記表示装置に据え置き状態や天吊り状態とは異なる姿勢を検出するセンサーを追加してもよい。これにより、据え置き状態や天吊り状態以外の姿勢に対しても、その姿勢に応じたファン回転数に調整することにより、発光管１１の温度をほぼ均一にすることができる。
【００４３】
さらに、図５の構成に対する変形例を図６〜図８に示す。
【００４４】
図６では、右側の送風ダクト５で発光管１１の下部と右側部を集中的に冷却するような冷却風１３ａを出すように、風吹き出し口の上部を閉じている。さらに、左側の送風ダクト４で発光管１１の上部と左側部を集中的に冷却するような冷却風１３ｂを出すように、風吹き出し口の下部を閉じている。つまり、図５の構成に比べ、左側の送風ダクト４と右側の送風ダクト５とで、発光管１１の上部と下部への冷却風の当て方を逆にしている。それに伴い、冷却風１３ｂを冷却風１３ａより強くしている。
【００４５】
このように図６の例は、シロッコファン２，３の回転数を変更して風吹き出し口での風速を逆転させれば、図５と同等の効果が得られる。
【００４６】
図７では、二つの送風ダクト４，５をリフレクタ１２の切り欠き１２ａ，１２ｂに対応して配置するのではなく、リフレクタ１２及び／又はランプホルダ６（図７では不図示）の上部と下部に配置している。上側の送風ダクト５では風吹き出し口の右側部を閉じており、下側の送風ダクト４では風吹き出し口の左側部を閉じている。
【００４７】
つまり、図７の例では上側の送風ダクト５からの冷却風１３ａが発光管１１の上部と左側部を冷却し、排気風１４ａとなってリフレクタ１２の左側の切り欠き１２ｂから排気される。また、下側の送風ダクト４からの冷却風１３ｂが発光管１１の下部と右側部を冷却し、排気風１４ｂとなってリフレクタ１２の右側の切り欠き１２ａから排気される。図５の構成と比べて送風ダクト４，５の位置が変わっているが、冷却風の強さ及び効果は図５の例と同じである。またランプホルダ６の形状変更で対応できる。
【００４８】
図８の例は、図７の各送風ダクト５，４における風吹き出し口からの冷却風１３ａ，１３ｂの出し方を変更したものである。つまり、図８の構成では上側の送風ダクト５では風吹き出し口の左側部を閉じることで、送風ダクト５からの冷却風１３ａが発光管１１の上部と右側部を冷却している。また下側の送風ダクト４では風吹き出し口の右側部を閉じることで、送風ダクト４からの冷却風１３ｂが発光管１１の下部と左側部を冷却している。
【００４９】
この例は、発光管１１の上部を分担するダクトを図７の例と変えていないので、冷却風１３ａ，１３ｂの強さは図７の例と同じである。よって、図７の例と同等の効果が得られる。
【００５０】
（実施例２）
次に、本発明の実施例２について図９〜１２に示す。尚、本実施例は、実施例１において説明した図１〜４までの構成の応用であり、冷却風１３ａ，１３ｂを発光管１１に当たるように導く二つの導風部の形状について相違があるものである。
【００５１】
図９では、リフレクタ１２の右側の切り欠き１２ａの上部寄りに送風ダクト５が配されている。これにより、送風ダクト５における風吹き出し口が発光管１１の中心部に対し上側にオフセットされ、発光管１１の上部と右側部を集中的に冷却するような冷却風１３ａが風吹き出し口から出る。また、リフレクタ１２の左側の切り欠き１２ｂの下部寄りに送風ダクト４が配されている。これにより、送風ダクト４における風吹き出し口が発光管１１の中心部に対し下側にオフセットされ、発光管１１の下部と左側部を集中的に冷却するような冷却風１３ｂが風吹き出し口から出る。
【００５２】
この構成では、図５のように風吹き出し口の一部を塞ぐのではなく、風吹き出し口自体が小さくなるように送風ダクトの形状を小さくしている。しかし、図５の構成と比べて送風ダクト４，５の形状が変わっているだけなので、図５の例と同じようなファン制御により同等の効果が得られる。また、送風ダクト４，５の形状に合わせてランプホルダ６の形状を変えるだけで済む。
【００５３】
図１０の例では、図９の構成に比べ、左側の送風ダクト４と右側の送風ダクト５とで、発光管１１の上部と下部への冷却風の当て方を逆にしている。つまり、リフレクタ１２の右側の切り欠き１２ａの下部寄りに送風ダクト５が配され、これにより発光管１１の下部と右側部が集中的に冷却される。また、リフレクタ１２の左側の切り欠き１２ｂの上部寄りに送風ダクト４が配され、これにより発光管１１の上部と左側部が集中的に冷却される。このような構成のため、冷却ファンの回転数制御に関して、冷却風１３ｂが冷却風１３ａよりも強くなるようにしている。
【００５４】
図１１では、二つの送風ダクト４，５をリフレクタ１２の左右の切り欠き１２ａ，１２ｂに対応して配置するのではなく、リフレクタ１２及び／又はランプホルダ６（図１１では不図示）の上部と下部に配置している。上側の送風ダクト５では風吹き出し口からの冷却風１３ａが発光管１１の中心部に対し左側にオフセットされ、下側の送風ダクト４では風吹き出し口からの冷却風１３ｂが発光管１１の中心部に対し右側にオフセットされている。
【００５５】
つまり、図１１の例では上側の送風ダクト５からの冷却風１３ａが発光管１１の上部と左側部を冷却し、排気風１４ａとなってリフレクタ１２の左側の切り欠き１２ｂから排気される。また、下側の送風ダクト４からの冷却風１３ｂが発光管１１の下部と右側部を冷却し、排気風１４ｂとなってリフレクタ１２の右側の切り欠き１２ａから排気される。図９の構成と比べて送風ダクト４，５の位置が変わっているが、冷却風の強さ及び効果は図９の例と同じである。
【００５６】
図１２の例は、図１１の各送風ダクト５，４の配置を変えて風吹き出し口の位置を変更したものである。つまり、図１２の上側の送風ダクト５では風吹き出し口が発光管１１の中心部に対し右側にオフセットされ、下側の送風ダクト４では風吹き出し口が発光管１１の中心部に対し左側にオフセットされている。これにより、送風ダクト５からの冷却風１３ａが発光管１１の上部と右側部を冷却し、排気風１４ａとなってリフレクタ１２の右側の切り欠き１２ａから排気される。また送風ダクト４からの冷却風１３ｂは発光管１１の下部と左側部を冷却し、排気風１４ｂとなってリフレクタ１２の左側の切り欠き１２ｂから排気される。
【００５７】
この例は、発光管１１の上部を担当するダクトを図１１の例と変えていないので、冷却風１３ａ，１３ｂの強さは図１１の例と同じである。よって、図１１の例と同等の効果が得られる。
【００５８】
（実施例３）
次に、本発明の実施例３について図１３〜１６に示す。尚、本実施例は、実施例１において説明した図１〜４までの構成の応用であり、冷却風１３ａ，１３ｂを発光管１１に当たるように導く二つの導風部の形状及び位置について相違があるものである。
【００５９】
図１３では、リフレクタ１２の右側の切り欠き１２ａの上部より上側に送風ダクト５が配されている。そして、送風ダクト５における風吹き出し口が、発光管１１の上部と右側部に冷却風１３ａが集中的に当たるように構成されている。また、リフレクタ１２の左側の切り欠き１２ｂの下部より下側に送風ダクト４が配されている。そして、送風ダクト４における風吹き出し口が、発光管１１の下部と左側部に冷却風１３ｂが集中的に当たるように構成されている。
【００６０】
この構成は、実施例１に対してランプホルダ６の形状を変更すれば対応可能である。また、冷却風１３ａの風速が冷却風１３ｂよりも速くなるようにファン回転数を制御することにより、実施例１と同等の効果が得られる。
【００６１】
図１４の例では、図１３の構成に比べ、左側の送風ダクト４と右側の送風ダクト５とで、発光管１１の上部と下部への冷却風の当て方を逆にしている。つまり、リフレクタ１２の右側の切り欠き１２ａの下部より下側に送風ダクト５が配され、且つ、発光管１１の下部と右側部に冷却風１３ａが集中的に当たるように風吹き出し口が構成されている。また、リフレクタ１２の左側の切り欠き１２ｂの上部より上側に送風ダクト４が配され、且つ、発光管１１の上部と左側部に冷却風１３ｂが集中的に当たるように風吹き出し口が構成されている。このような構成のため、冷却ファンの回転数制御に関して、冷却風１３ｂが冷却風１３ａよりも強くなるようにしている。
【００６２】
この例は図１３の構成に対して冷却風１３ａ，１３ｂの、発光管上部と下部への当て方を逆にしただけなので、これに伴ってシロッコファン２，３の制御回転数を逆転させれば、図１３の例と同等の効果が得られる。
【００６３】
図１５では、二つの送風ダクト４，５をリフレクタ１２の左右の切り欠き１２ａ，１２ｂに対応して配置するのではなく、リフレクタ１２及び／又はランプホルダ６（図１５では不図示）の上部左寄りと下部右寄りに配置している。上側の送風ダクト５では風吹き出し口からの冷却風１３ａが発光管１１の中心部に対し左側にオフセットされ、下側の送風ダクト４では風吹き出し口からの冷却風１３ｂが発光管１１の中心部に対し右側にオフセットされている。
【００６４】
つまり、図１５の例では上側の送風ダクト５からの冷却風１３ａが発光管１１の上部と左側部を冷却し、排気風１４ａとなってリフレクタ１２の左側の切り欠き１２ｂから排気される。また、下側の送風ダクト４からの冷却風１３ｂが発光管１１の下部と右側部を冷却し、排気風１４ｂとなってリフレクタ１２の右側の切り欠き１２ａから排気される。図１３の構成と比べて送風ダクト４，５の位置が変わっているが、冷却風の強さ及び効果は図１３の例と同じである。
【００６５】
図１６の例は、図１５の各送風ダクト５，４の配置を変えて風吹き出し口の位置を変更したものである。つまり、図１５の上側の送風ダクト５では風吹き出し口からの冷却風１３ａが発光管１１の中心部に対し右側にオフセットされ、下側の送風ダクト４では風吹き出し口からの冷却風１３ｂが発光管１１の中心部に対し左側にオフセットされている。これにより、送風ダクト５からの冷却風１３ａが発光管１１の上部と右側部を冷却し、排気風１４ａとなってリフレクタ１２の右側の切り欠き１２ａから排気される。また送風ダクト４からの冷却風１３ｂは発光管１１の下部と左側部を冷却し、排気風１４ｂとなってリフレクタ１２の左側の切り欠き１２ｂから排気される。
【００６６】
この例は、発光管１１の上部を担当するダクトを図１５の例と変えていないので、冷却風１３ａ，１３ｂの強さは図１５の例と同じである。よって、図１５の例と同等の効果が得られる。
【００６７】
図１３〜１６に示した例のように、冷却風１３ａ，１３ｂを発光管１１の上部と下部に当てるための風吹き出し口の向きは、リフレクタ１２の鉛直方向又は水平方向（図の上下方向又は左右方向）に限られない。つまり、二つの冷却風１３ａ，１３ｂを発光管１１の上部と下部に当てられれば、風吹き出し口の向きは任意である。
【００６８】
以上の実施例１〜３で示してきた構成はミラー型超短焦点プロジェクターに適用した例であるが、本発明の光源冷却装置はミラー型超短焦点プロジェクターだけでなく、レンズ式や、ミラーとレンズのハイブリッド方式でも用いることができる。また、プロジェクターの表示素子として液晶表示素子あるいはＤＭＤを採用していても本発明を適用することができる。つまりは、超高圧水銀ランプのような光源を用いた投写型表示装置であれば本発明の構成を適用可能である。
【図面の簡単な説明】
【００６９】
【図１】本発明の実施例１の投写型表示装置の主要部を示す上面図である。
【図２】図１の表示装置をランプユニット後方側上部から見た斜視図である。
【図３】実施例１におけるランプ冷却装置を示す斜視図である。
【図４】（ａ）はランプユニットの斜視図、（ｂ）はランプユニットをリフレクタの光出射口側から見た正面図である。
【図５】実施例１の二つの送風ダクトにおける風吹き出し口と発光管との関係を説明するために示したランプユニットの正面図である。
【図６】実施例１の変形例として二つの送風ダクトにおける風吹き出し口と発光管との関係を説明するために示したランプユニットの正面図である。
【図７】実施例１の変形例として二つの送風ダクトにおける風吹き出し口と発光管との関係を説明するために示したランプユニットの正面図である。
【図８】実施例１の変形例として二つの送風ダクトにおける風吹き出し口と発光管との関係を説明するために示したランプユニットの正面図である。
【図９】実施例２の二つの送風ダクトにおける風吹き出し口と発光管との関係を説明するために示したランプユニットの正面図である。
【図１０】実施例２の変形例として二つの送風ダクトにおける風吹き出し口と発光管との関係を説明するために示したランプユニットの正面図である。
【図１１】実施例２の変形例として二つの送風ダクトにおける風吹き出し口と発光管との関係を説明するために示したランプユニットの正面図である。
【図１２】実施例２の変形例として二つの送風ダクトにおける風吹き出し口と発光管との関係を説明するために示したランプユニットの正面図である。
【図１３】実施例３の二つの送風ダクトにおける風吹き出し口と発光管との関係を説明するために示したランプユニットの正面図である。
【図１４】実施例３の変形例として二つの送風ダクトにおける風吹き出し口と発光管との関係を説明するために示したランプユニットの正面図である。
【図１５】実施例３の変形例として二つの送風ダクトにおける風吹き出し口と発光管との関係を説明するために示したランプユニットの正面図である。
【図１６】実施例３の変形例として二つの送風ダクトにおける風吹き出し口と発光管との関係を説明するために示したランプユニットの正面図である。
【符号の説明】
【００７０】
１    ランプユニット
２    シロッコファン
３    シロッコファン
４，５    送風ダクト
６    ランプホルダ
７    姿勢センサー
８，９，１０    投写ミラー
１１    発光管
１２    リフレクタ
１２ａ，１２ｂ    切り欠き
１３ａ，１３ｂ    冷却風
１４ａ，１４ｂ    排気風
１５    リフレクタベース
１６    光学エンジン
１７    軸流ファン
１８    温度センサー
【図１】
0004945799.tif 000002
【図２】
0004945799.tif 000003
【図３】
0004945799.tif 000004
【図４】
0004945799.tif 000005
【図５】
0004945799.tif 000006
【図６】
0004945799.tif 000007
【図７】
0004945799.tif 000008
【図８】
0004945799.tif 000009
【図９】
0004945799.tif 000010
【図１０】
0004945799.tif 000011
【図１１】
0004945799.tif 000012
【図１２】
0004945799.tif 000013
【図１３】
0004945799.tif 000014
【図１４】
0004945799.tif 000015
【図１５】
0004945799.tif 000016
【図１６】
0004945799.tif 000017